(57)【特許請求の範囲】
【請求項１】
被写体を撮影して映像信号を出力する撮影手段と、
ユーザが上記映像信号の記録開始及び記録終了を指示するための第１の指示手段と、
上記映像信号を上記第１の指示手段の記録開始の指示に応じて記録媒体に記録し、上記第１の指示手段の記録終了の指示に応じて上記記録媒体への記録を終了する記録手段と、
上記記録開始の指示に応じて上記記録媒体への記録が開始されたときの第１の映像信号と、上記記録終了の指示に応じて上記記録媒体への記録が終了したときの第２の映像信号とを記憶する記憶手段と、
ユーザが記録された映像の確認を指示するための第２の指示手段と、
上記記録終了の指示の後に行われた上記第２の指示手段の指示に応じて、上記記憶手段に記憶された上記第１の映像信号の映像及び上記第２の映像信号の映像、並びに、上記撮影手段から出力された上記映像信号の映像を合成して表示手段に表示するよう制御する制御手段とを備え、
上記制御手段は、上記記録開始の指示から上記記録終了の指示までの間に行われた上記第２の指示手段の指示に応じて、上記記憶手段に記憶された上記第１の映像信号の映像と、上記撮影手段から出力された上記映像信号の映像とを合成して上記表示手段に表示するよう制御することを特徴とする記録再生装置。
【請求項２】
上記第２の指示手段は、レックレビューボタンであることを特徴とする請求項１に記載の記録再生装置。
【請求項３】
撮影手段で被写体を撮影して映像信号を出力する撮影処理と、
上記映像信号の記録開始及び記録終了を指示するための第１の指示手段からの記録開始の指示に応じて上記映像信号を記録媒体に記録し、上記第１の指示手段の記録終了の指示に応じて上記記録媒体への記録を終了する記録処理と、
上記記録開始の指示に応じて上記記録媒体への記録が開始されたときの第１の映像信号と、上記記録終了の指示に応じて上記記録媒体への記録が終了したときの第２の映像信号を記憶手段に記憶する記憶処理と、
記録された映像の確認を指示するための第２の指示手段からの指示であって上記記録終了の後に行われた指示に応じて、上記記憶手段に記憶された上記第１の映像信号の映像及び上記第２の映像信号の映像、並びに、上記撮影手段から出力された上記映像信号の映像を合成して表示手段に表示するよう制御する第１の表示制御処理と、
上記記録開始の指示から上記記録終了の指示までの間に行われた上記第２の指示手段の指示に応じて、上記記憶手段に記憶された上記第１の映像信号の映像と、上記撮影手段から出力された上記映像信号の映像とを合成して上記表示手段に表示するよう制御する第２の表示制御処理と
をコンピュータに実行させるためのプログラムを記憶したことを特徴とするコンピュータ読み取り可能な記憶媒体。
【請求項４】
上記記憶媒体と上記記録媒体とが同一の媒体であることを特徴とする請求項３に記載のコンピュータ読み取り可能な記憶媒体。
【請求項５】
上記第２の指示手段は、レックレビューボタンであることを特徴とする請求項３または４に記載のコンピュータ読み取り可能な記憶媒体。
【発明の詳細な説明】
【０００１】
【発明の属する技術分野】
本発明は、カメラで撮影した映像を記録すると共に、撮影した映像を確認するレックビュー機能を有するビデオカメラレコーダ等に用いて好適な記録再生装置及びそれに用いられるコンピュータ読み取り可能な記憶媒体に関するものである。
【０００２】
【従来の技術】
図７は撮影記録した映像を確認するレックレビュー機能を有する従来のビデオカメラレコーダを示す。
図７において、１はビデオカメラ、２はカメラ信号処理回路、３はビューファインダ、５はレコーダ信号処理回路、６はトリガボタン、７は制御回路、８はヘッドアンプ、９はヘッド、１０は磁気テープ、１１はレックレビューボタン、１２はサーボ機構である。
【０００３】
次に動作について説明する。
ビデオカメラ１で撮影された映像は、カメラ信号処理回路２によりＴＶ信号に変換される。このＴＶ信号は、レコーダ信号処理回路５とビューファインダ３に送られ、ビューファインダ３で、ビデオカメラ１が現在撮影している映像を確認することができる。
【０００４】
この状態でユーザが記録を開始したい場合は、トリガボタン６を押す。制御回路７はトリガボタン６が押されたことを検出し、レコーダ信号処理回路５へ送られているＴＶ信号を、記録のために変調するように制御信号を送る。変調された映像信号はヘッドアンプ８で増幅された後、ヘッド９を介して磁気テープ１０に記録される。磁気テープ１０に映像信号を記録するために、磁気テープ１０を走行させるためのサーボ機構１２があり、制御回路７は同時にこのサーボ機構１２も制御して記録を行っている。
【０００５】
次に、ユーザが記録を終了したい場合は、再びトリガボタン６を押すと、制御回路７はこれを検出し、レコーダ信号処理回路５やサーボ機構１２に記録を停止するように制御信号を送る。次に、ユーザは何が記録されたかを確認するために、レックレビューボタン１１を押す。制御回路７はレックレビューボタン１１が押されたことを検出すると、サーボ機構１２を制御して、記録時とは逆方向に磁気テープ１０を一定時間戻す。同時にレコーダ信号処理回路５を再生モードにする。
【０００６】
ヘッド９から再生された信号は、ヘッドアンプ８で増幅されてレコーダ信号処理回路５でＴＶ信号に復調される。このＴＶ信号はビューファインダ３に送られて再生映像が表示され、ユーザはこれを見て何が記録されたかを確認することができる。
【０００７】
一定時間後、例えば３秒後に制御回路７はサーボ機構１２を再び正方向にテープを送って再生するように制御し、この間、再生映像が表示され、上記の撮影終了地点でテープを停止させる。
このようにして、ユーザは撮影終了地点から３秒間は逆方向再生映像を見、次の３秒間は正方向再生映像を見るレックビューを行うことにより、記録された映像を確認するようにしている。
【０００８】
【発明が解決しようとする課題】
しかしながら上記従来例では、最初にトリガボタンが押されてから制御回路が記録を開始させるまでの時間を経てから実際に記録が開始され、次にトリガボタンが押されてから制御回路が記録を停止させるまでの時間を経てから実際に記録が終了するが、上記レックビューにより再生される映像は、最後に撮影した部分から一定時間前までの映像を確認させるものであるため、ユーザは、今記録した映像が実際にテープ上のどの映像からどの映像までの間に記録されたものであるかが分からなくなるという問題があった。
【０００９】
また、上記従来例では、レックレビュー中はテープを巻き戻し、再生を行っているため、その間にシャッターチャンスがきても記録を開始することができないという問題があった。
【００１０】
本発明は、上記の問題を解決するために成されたもので、現在撮影したシーンは、どこからどこまでの映像なのかをユーザに知らせることができるようにすると共に、レックレビュー中にも記録を開始できるようにすることを目的としている。
【００１１】
【課題を解決するための手段】
上記の目的を達成するために、本発明による記録再生装置においては、被写体を撮影して映像信号を出力する撮影手段と、ユーザが上記映像信号の記録開始及び記録終了を指示するための第１の指示手段と、上記映像信号を上記第１の指示手段の記録開始の指示に応じて記録媒体に記録し、上記第１の指示手段の記録終了の指示に応じて上記記録媒体への記録を終了する記録手段と、上記記録開始の指示に応じて上記記録媒体への記録が開始されたときの第１の映像信号と、上記記録終了の指示に応じて上記記録媒体への記録が終了したときの第２の映像信号とを記憶する記憶手段と、ユーザが記録された映像の確認を指示するための第２の指示手段と、上記記録終了の指示の後に行われた上記第２の指示手段の指示に応じて、上記記憶手段に記憶された上記第１の映像信号の映像及び上記第２の映像信号の映像、並びに、上記撮影手段から出力された上記映像信号の映像を合成して表示手段に表示するよう制御する制御手段とを備え、上記制御手段は、上記記録開始の指示から上記記録終了の指示までの間に行われた上記第２の指示手段の指示に応じて、上記記憶手段に記憶された上記第１の映像信号の映像と、上記撮影手段から出力された上記映像信号の映像とを合成して上記表示手段に表示するよう制御する。
【００１２】
また、本発明によるコンピュータ読み取り可能な記憶媒体においては、撮影手段で被写体を撮影して映像信号を出力する撮影処理と、上記映像信号の記録開始及び記録終了を指示するための第１の指示手段からの記録開始の指示に応じて上記映像信号を記録媒体に記録し、上記第１の指示手段の記録終了の指示に応じて上記記録媒体への記録を終了する記録処理と、上記記録開始の指示に応じて上記記録媒体への記録が開始されたときの第１の映像信号と、上記記録終了の指示に応じて上記記録媒体への記録が終了したときの第２の映像信号を記憶手段に記憶する記憶処理と、記録された映像の確認を指示するための第２の指示手段からの指示であって上記記録終了の後に行われた指示に応じて、上記記憶手段に記憶された上記第１の映像信号の映像及び上記第２の映像信号の映像、並びに、上記撮影手段から出力された上記映像信号の映像を合成して表示手段に表示するよう制御する第１の表示制御処理と、上記記録開始の指示から上記記録終了の指示までの間に行われた上記第２の指示手段の指示に応じて、上記記憶手段に記憶された上記第１の映像信号の映像と、上記撮影手段から出力された上記映像信号の映像とを合成して上記表示手段に表示するよう制御する第２の表示制御処理とをコンピュータに実行させるためのプログラムを記憶している。
【００１５】
【発明の実施の形態】
以下、本発明の実施の形態を図面と共に説明する。
図１は本発明の第１の実施の形態による記録再生装置としてのビデオカメラレコーダのブロック図であり、図７と対応する部分には同一番号を付して重複する説明は省略する。
図１において、４はメモリである。
【００１６】
次に動作について図３のフローチャートを用いて説明する。
ビデオカメラ１で撮影された映像はカメラ信号処理回路２によリＴＶ信号に変換された後、レコーダ信号処理回路５とビューファインダ３とメモリ４に送られ、ビューファインダ３でユーザが撮影している映像を確認することができる。
【００１７】
この状態で、ユーザが記録を開始したい場合は、トリガボタン６を押す（ステップＳ１、以下ステップ略）。制御回路７はトリガボタン６が押されたことを検出してレコーダ信号処理回路５を上記ＴＶ信号を変調するように制御し、変調された映像信号はヘッドアンプ８で増幅された後、ヘッド９を介して磁気テープ１０に記録される。これと共に、制御回路７はサーボ機構１２も制御して記録を行う（Ｓ２）。
【００１８】
このサーボ機構１２が実際に動作して記録を開始するタイミング１を制御回路７が監視しており（Ｓ３）、その開始の瞬間の映像を、常にカメラ信号処理回路２から映像が送られているメモリ４を制御して格納する（Ｓ４）。このタイミング１とは、助走期間を経て、磁気テープ１０の走行とヘッド９との相対速度が合った時点である。
【００１９】
図２にメモリ４のアドレス空間を示す。メモリ４の容量はアドレス０からｃまで２フレーム分あり、アドレス０からａまでの１フレームが上記の記録開始点の映像を格納するメモリ空間Ａである。制御回路７はこのメモリ空間Ａに上記タイミング１の映像を格納する。
【００２０】
尚、本実施の形態では、カメラ信号処理回路２から出力される映像信号は、デジタル信号としてメモリ４に直接格納しているが、アナログ信号の場合でも、アナログメモリを用いれば、同様の手順で実現可能であるし、また、アナログ／デジタル変換回路を追加しても可能である。
【００２１】
次に、ユーザが記録を終了したい場合は、再びトリガボタン６を押すと（Ｓ５）、制御回路７はこれを検出し、レコーダ信号処理回路５やサーボ機構１２に記録を停止するように制御信号を送る。
【００２２】
このとき、記録開始の時と同じようにサーボ機構１２が実際に動作して記録を停止するタイミング２を制御回路７が監視しており、そのタイミング２の映像をメモリ４を制御して、図２のアドレスｂからｃのメモリ空間Ｂに格納する（Ｓ６）。ここで、タイミング２とは、サーボ機構１２に制御回路７が制御信号を送るタイミングである。次に記録動作が停止される（Ｓ７）。
【００２３】
次に、ユーザは、テープ上のどこからどこまでに映像が記録されているかを確認するために、レックレビューボタン１１を押す（Ｓ８）。制御回路７はレックレビューボタン１１が押されたことを検出すると、メモリ４からまず、記録開始の映像を格納した上記メモリ空間Ａの映像を送信させ（Ｓ９）、ビューファインダ３に表示する。そして、制御回路７は一定時問後、例えば１秒後に（Ｓ１０）、今度は記録終了の映像を格納したメモリ空間Ｂの記録終了の映像を送信させ、ビューファインダ３に１秒間表示する（Ｓ１１、Ｓ１２）。その後、カメラ映像出力（ＥＥ出力）を表示する（Ｓ１３）。
【００２４】
尚、本実施の形態では、説明を明確にするためにメモリ４の容量が２フレーム分の場合について説明したが、これは、映像を非圧縮データとした場合であって、メモリ容量は２フレームでなくてもよい。一般にメモリ容量はコストに比例するため、できる限り小さくしてデータは圧縮データとし、読み出して表示する際に伸張処理を行う。
【００２５】
しかし、本実施の形態の目的のように、どこからどこまでのシーン記録されたかを確認する場合は、シーンの確認ができればよく、必ずしも伸長圧縮をして１フレーム分の映像に戻す必要はなく、圧縮方式も画素間引きによる縮小などの圧縮でかまわない。その場合、表示も小さくなるため、上記のように画面全てを表示して、１秒ごとに切り替えるよりも、開始映像と終了映像を合成した映像を表示する方が、分かり易いという場合がある。
【００２６】
その様子を図４に表示する。図４において、一番外の枠はファインダであり、開始点映像と終了点映像が合成され、残りの部分はブルーバック等の映像で埋められている。
【００２７】
図５は本発明の第２の実施の形態を示すブロック図であり、図１と対応する部分には同一番号を付して重複する説明は省略する。
図５において、１３は合成回路である。
本実施の形態は、レックレビュー中にシャッターチャンスを逃すことを防ぐために、開始映像と終了映像との合成だけでなく、合成回路１３において、現在のカメラＥＥとの合成を行うようにしている。
【００２８】
この場合の表示画面を図６に示す。
図６において、一番外の枠がファインダであり、カメラＥＥが表示されている画面の一部分が開始点映像と終了点映像に置き換えられて、いわゆるピクチャーインピクチャーの状態となっている。尚、これらの三つの映像の配置は自由である。
【００２９】
この状態でユーザがカメラＥＥの映像を見ていて、シャッターチャンスが来たら、トリガボタン６を押せば、テープ位置は記録終了点にあるため、直ぐに記録が開始される。そのときの開始点の映像は前記と同様にメモリ４に格納され、同様のレックレビュー操作が再び可能である。
【００３０】
上記各実施の形態では、記録が終了した後にレックレビューボタン１１が押された場合について説明したが、撮影中にレックレビューボタン１１が押された場合に、上記各実施の形態と同様にメモリ４から記録開始点の映像を読み出し表示するようにしてもよい。その表示方法も同様に、時間で切り替えたり、合成したり、ピクチャーインピクチャー等を行うことができる。
【００３１】
また、表示時間を１秒ずつとしたが、レックビューボタン１１をＯＮ、ＯＦＦボタンに割り当て、表示のトグル機能も可能である。
【００３２】
また、上記各実施の形態では、記録開始時の映像と記録終了時の映像とをメモリ４に記憶したが、記録開始時の映像のみを記憶するようにしてもよい。その場合にも映像データを圧縮して記憶してよい。
また、表示の際は、合成、ピクチャーインピクチャー等を行うことができる。
【００３３】
次に、本発明による記憶媒体について説明する。
上述した図１、図５の各実施の形態は、ハードウェアで構成することもできるが、ＣＰＵとメモリを有するコンピュータシステムで構成する場合、図１、図５のメモリ４と磁気テープ１０は同一の記憶媒体（メモリ）を構成する。この記憶媒体には、各実施の形態で説明した動作及び処理を実行するためのプログラムと映像が記憶される。
【００３４】
また、この記憶媒体としては、ＲＯＭ、ＲＡＭ等の半導体メモリ、光ディスク、光磁気ディスク、磁気記憶媒体等を用いてよく、これらをＣＤ−ＲＯＭ、ＦＤ、磁気カード、磁気テープ、不揮発性メモリカード等に構成して用いてよい。
【００３５】
従って、この記憶媒体を図１、図５によるシステム以外の他のシステムあるいは装置で用い、そのシステムあるいはコンピュータがこの記憶媒体に格納されたプログラムコードを読み出し、実行することによっても、上記各実施の形態と同等の機能を実現できると共に、同等の効果を得ることができ、本発明の目的を達成することができる。
【００３６】
また、コンピュータ上で稼働しているＯＳ等が処理の一部又は全部を行う場合、あるいは記憶媒体から読み出されたプログラムコードが、コンピュータに挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、上記各実施の形態と同等の機能を実現できると共に、同等の効果を得ることができ、本発明の目的を達成することができる。
【００３７】
【発明の効果】
以上説明したように、本発明によれば、記録開始の指示に応じて記録が開始された時の映像のみ、又はこの映像と記録終了の指示に応じて記録が終了した時の映像を記憶しておき、記録終了後にレックレビューの指示に応じて上記記憶された映像を表示することにより、ユーザは一目でどこからどこまで記録したのかを知ることができる。
【００３８】
また、記憶された映像の表示中にもシャッタチャンスを確実に捉えることができる。特に、カメラＥＥ映像のような入力映像と合成することにより、映像を確認しながらシャッタチャンスを確実に捉えることができるようになる。
【図面の簡単な説明】
【図１】本発明の第１の実施の形態によるビデオカメラレコーダの構成を示すブロック図である。
【図２】メモリマップの構成図である。
【図３】制御回路の処理を示すフローチャートである。
【図４】ファインダの合成表示を示す構成図である。
【図５】本発明の第２の実施の形態によるビデオカメラレコーダの構成を示すブロック図である。
【図６】ピクチャーインピクチャーによる合成表示を示す構成図である。
【図７】従来のビデオカメラレコーダのブロック図である。
【符号の説明】
１  ビデオカメラ
２  カメラ信号処理回路
３  ビューファインダ
４  メモリ
５  レコーダ信号処理回路
６  トリガボタン
７  制御回路
８  ヘッドアンプ
９  ヘツド
１０  磁気テープ
１１  レックレビューボタン
１２  サーボ機構
１３  合成回路
【図１】
0004298065.tif 000002
【図２】
0004298065.tif 000003
【図３】
0004298065.tif 000004
【図４】
0004298065.tif 000005
【図５】
0004298065.tif 000006
【図６】
0004298065.tif 000007
【図７】
0004298065.tif 000008